(57)【要約】【課題】食事の邪魔にならず、仕切られた者同士の会話を妨げることもなく、料理等の受け渡しが可能で、使用後の拭取作業が不要なパーティションを提供する。【解決手段】テーブルＴの天板ｔから起立する支柱１ａの上端部に水平軸１ｂが連設されて、フィルムｆが芯管に巻回されたロールＲを水平軸１ｂで回転自在に支持する片持ちの支持部材１と、ロールＲの芯管の端部に差込部２ａが嵌め入れて固定され、支持部材１の水平軸１ｂに軸支されてその周りに回転可能とされ、ロールＲから露出した部分に巻上操作部２ｂを有する芯管固定キャップ２と、ロールＲを支持部材１の水平軸１ｂに対して軸方向に移動しないように規制する左右一対の軸止部材３と、ロールＲから下方へ引き出されたフィルムｆに沿うガイドバー４と、ロールＲから垂下したフィルムｆの下端部に着脱されるウェイト部材６とを備えたものとする。【選択図】図１
0003230518.tif 000002
【実用新案登録請求の範囲】
【請求項１】
テーブル(T)の天板(t)から起立する支柱(1a)の上端部に水平軸(1b)が連設されて、フィルム(f)が芯管(p)に巻回されたロール(R)を前記水平軸(1b)で回転自在に支持する片持ちの支持部材(1)と、
前記ロール(R)の芯管(p)の端部に差込部(2a)が嵌め入れて固定され、前記支持部材(1)の水平軸(1b)に軸支されてその周りに回転可能とされ、前記ロール(R)から露出した部分に巻上操作部(2b)を有する芯管固定キャップ(2)と、
前記ロール(R)を前記支持部材(1)の水平軸(1b)に対して軸方向に移動しないように規制する左右一対の軸止部材(3)と、
前記ロール(R)から下方へ引き出されたフィルム(f)に沿うガイドバー(4)と、
前記ロール(R)から垂下したフィルム(f)の下端部に着脱されるウェイト部材(6)とを備えたフィルムパーティション。
【請求項２】
前記支持部材(1)の支柱(1a)の下端部には、テーブル(T)の天板(t)の端縁部を挟み込むクランプ(11)を備えた請求項１に記載のフィルムパーティション。
【請求項３】
前記ガイドバー(4)には、前記フィルム(f)を切断するスライドカッター(5)を備えた請求項１又は２に記載のフィルムパーティション。
【請求項４】
前記芯管固定キャップ(2)の巻上操作部(2b)に噛合して掛け下げられる無端状の巻上チェーン(8)を備えたことを特徴とする請求項１乃至３のいずれか１項に記載のフィルムパーティション。
【請求項５】
前記ウェイト部材(6)には、マグネットシート(6c)が貼り着けられ、前記マグネットシート(6c)の磁力により、前記ウェイト部材(6)が前記ガイドバー(4)に吸着可能とされていることを特徴とする請求項１乃至４のいずれか１項に記載のフィルムパーティション。
【考案の詳細な説明】
【技術分野】
【０００１】
この考案は、ウイルス等の病原体の飛沫による感染症拡大を防止するためのフィルムパーティションに関するものである。
【背景技術】
【０００２】
ウイルス等の微小な病原体は、感染者の咳やくしゃみだけでなく、会話によっても拡散することが知られている。このため、飲食店においては、テーブル席で客同士が間近で対向し、或いは隣り合って食事をしつつ会話する状況での感染リスクを抑制するため、テーブルにパーティションを設置する対策がとられている。
【０００３】
このパーティションとしては、透明なアクリル板を脚体で支持するスタンド型式のものが一般的であるが、スタンド型式のパーティションでは、脚体が食事の邪魔になるという問題や、客同士の会話の声がアクリル板で遮られて聞こえ難いという問題がある。また、店側にとっては、客の入れ替わりに際し、アクリル板をアルコール消毒液等により拭き取る作業に手間がかかるという意見が多く聞かれる。
【０００４】
一方、下記特許文献１においては、テーブルから一対の支持柱を起立させ、この支持柱に取り付けた接続部材により、樹脂製フィルム等のシート状部材が巻回されたロール部材を回転可能に支持し、ロール部材から引き出したシート状部材を間仕切りとして使用する仕切装置が提案されている。この仕切装置では、客の食事に伴いウイルス等が付着した恐れのあるシート状部材は、カッターナイフや鋏を用いて切除し、ロール部材から新たにシート状部材を引き出して、次の使用に備えるとされている。
【先行技術文献】
【特許文献】
【０００５】
【特許文献１】登録実用新案第３２２７８５２号公報
【考案の概要】
【考案が解決しようとする課題】
【０００６】
しかしながら、上記特許文献１に記載されたような仕切装置では、飲食店のテーブルに設置すると、スタンド型式のものと同様、一対の支持柱が配膳や食事の邪魔になるという問題があるだけでなく、シート状部材で仕切られた客同士で料理の受け渡し等ができず、グループでの会食などに際し不便を感じることがある。
【０００７】
そこで、この考案は、食事の邪魔にならず、仕切られた者同士の会話を妨げることもなく、料理等の受け渡しが可能で、使用後の拭取作業が不要なパーティションを提供することを課題とする。
【課題を解決するための手段】
【０００８】
上記のような課題を解決するため、この考案は、テーブルの天板から起立する支柱の上端部に水平軸が連設されて、フィルムが芯管に巻回されたロールを前記水平軸で回転自在に支持する片持ちの支持部材と、
前記ロールの芯管の端部に差込部が嵌め入れて固定され、前記支持部材の水平軸に軸支されてその周りに回転可能とされ、前記ロールから露出した部分に巻上操作部を有する芯管固定キャップと、
前記ロールを前記支持部材の水平軸に対して軸方向に移動しないように規制する左右一対の軸止部材と、
前記ロールから下方へ引き出されたフィルムに沿うガイドバーと、
前記ロールから垂下したフィルムの下端部に着脱されるウェイト部材とを備えたフィルムパーティションを提供することとしたのである。
【０００９】
また、前記支持部材の支柱の下端部には、テーブルの天板の端縁部を挟み込むクランプを備えたものとしたのである。
【００１０】
また、前記ガイドバーには、前記フィルムを切断するスライドカッターを備えたものとしたのである。
【００１１】
さらに、前記芯管固定キャップの巻上操作部に噛合して掛け下げられる無端状の巻上チェーンを備えたものとしたのである。
【００１２】
そのほか、前記ウェイト部材には、マグネットシートが貼り着けられ、前記マグネットシートの磁力により、前記ウェイト部材が前記ガイドバーに吸着可能とされているものとしたのである。
【考案の効果】
【００１３】
この考案に係るフィルムパーティションでは、ロールを支持する支持部材が片持ちであるため、食事の邪魔になりにくく、飛沫を遮断するフィルムが振動を伝えやすいので、仕切られた者同士の会話を妨げることもない。
【００１４】
また、芯管固定キャップの巻上操作部を回すと、フィルムを昇降させることができるので、食事中でも料理等の受け渡しが可能となる。
【００１５】
また、使用後には、ロールから引き出されているフィルムを切断して廃棄すればよいので、消毒液を使用した拭取作業が不要であり、店側の負担が軽減される。
【図面の簡単な説明】
【００１６】
【図１】この考案の基本形態に係るフィルムパーティションの使用状態を示す斜視図
【図２】同上の使用状態を示す斜視図
【図３】同上の図２のＡ−Ａに沿った断面図
【図４】同上のフィルムを巻き上げた状態を示す斜視図
【図５】同上のフィルムをスライドカッターにより切断する過程を示す（５Ａ）正面図、（５Ｂ）（５Ａ）のＢ−Ｂに沿った断面図
【図６】同上の巻上チェーンを備えた実施形態を示す斜視図
【図７】同上のウェイト部材にマグネットシートを備えた実施形態を示す（７Ａ）正面図、（７Ｂ）（７Ａ）のＣ−Ｃに沿った断面図
【図８】同上の円形テーブル対応のクランプを備えた実施形態を示す（８Ａ）使用状態の斜視図、（８Ｂ）天板の上方から見たクランプの平面図
【考案を実施するための形態】
【００１７】
以下、この考案の実施形態を添付図面に基づいて説明する。
【００１８】
図１乃至図３に示すように、このフィルムパーティションは、飲食店のテーブルＴに取り付けられ、透明な樹脂製のフィルムｆが紙製の芯管ｐに巻回されたロールＲを回転自在に支持するものであり、支持部材１、芯管固定キャップ２、左右一対の軸止部材３、上下２本のガイドバー４、スライドカッター５及びウェイト部材６を備えている。
【００１９】
支持部材１は、支柱１ａの上端部に直角に湾曲して片側へ向かう水平軸１ｂが連設された金属製の丸棒からなり、支柱１ａの下端部にクランプ１１が設けられている。
【００２０】
クランプ１１は、長方形状の板材がコ字状に折り曲げられた挟持枠体１１ａと、その下部の板片に螺合した締付ボルト１１ｂとからなり、締付ボルト１１ｂの上端に押当盤１１ｃが形成され、挟持枠体１１ａの上部の板片と押当盤１１ｃの間にテーブルＴの天板ｔを挟み込むものとされている。
【００２１】
芯管固定キャップ２は、ロールＲの芯管ｐの一方の端部に嵌め入れて固定される先細りテーパー状の差込部２ａと、ロールＲから露出する部分に形成された指掛用の巻上操作部２ｂとが一体をなす硬質樹脂製のものであり、支持部材１の水平軸１ｂに軸支されて、その周りに回転可能とされている。
【００２２】
ロールＲの芯管ｐの他方の端部は、軸受リング２ｃを介して支持部材１の水平軸１ｂに軸支され、軸受リング２ｃは、真正品でないロールＲの使用を防止するため、水平軸１ｂから引き抜いた際に変形しやすい段ボール等で形成されている。
【００２３】
軸止部材３は、支持部材１の水平軸１ｂの各端部にそれぞれ嵌合する円盤部３ａと、円盤部３ａから下方へ延びる吊枠部３ｂとが一体をなす硬質樹脂製のものであり、左右同一の形状のものが対向している。円盤部３ａは、ロールＲを支持部材１の水平軸１ｂに対して軸方向に移動しないように規制するフランジとして機能する。
【００２４】
上方のガイドバー４は、ロールＲの下方で一対の軸止部材３の吊枠部３ｂの間に渡された硬質樹脂製の板材であり、その一方の側面にロールＲから引き出されたフィルムｆが沿うようになっている。
【００２５】
下方のガイドバー４は、上方のガイドバー４の下方に並行して一対の軸止部材３の吊枠部３ｂ間に渡された角筒状の部材であり、ケースがアルミニウム製とされ、フィルムｆを切断する切刃を備えたスライドカッター５がケースのスライド溝４ａに沿ってスライドするものとされている。
【００２６】
ウェイト部材６は、フィルムｆの幅と長さがほぼ等しいアクリル製の棒材であるウェイトバー６ａと、その両端寄りに取付られた２個のクリップ６ｂとからなり、ロールＲから垂下したフィルムｆの下端部にクリップ６ｂで着脱される。
【００２７】
ウェイト部材６と支柱１ａの下部とは、フィルムｆの昇降に対応できるように、弾力的な伸縮性を有するロープや細く巻かれたコイルばね等の連結材７で連結され、ウェイト部材６の盗難や逸失が防止されるようになっている。
【００２８】
上記のようなフィルムパーティションを飲食店のテーブル席に設置する際には、支持部材１の支柱１ａを垂直に起立させて、テーブルＴの天板ｔにクランプ１１で取り付ける。このとき、挟持枠体１１ａの上部の板片と押当盤１１ｃの間にテーブルＴの天板ｔの端縁部を挟み込んだ状態で、締付ボルト１１ｂを締め付ける。
【００２９】
そして、ロールＲから下方へフィルムｆを引き出し、繰り出されたフィルムｆを上下のガイドバー４の間に通し、それらの互い違いの側面に沿わせる。これにより、フィルムｆの揺れが抑止される。
【００３０】
その後、フィルムｆの下端部にクリップ６ｂでウェイト部材６を取り付け、フィルムｆをウェイト部材６がテーブルＴの天板ｔの上面に接近する位置まで引き下げておく。このようにして、飲食店で食事をする客同士の空間をフィルムｆで仕切ると、マスクを外して食事をする状況での飛沫による感染リスクを抑制することができる。
【００３１】
また、支持部材１が１本の支柱１ａによりロールＲを支持する片持ちであるため、テーブルＴの上方での食事の邪魔になりにくく、薄く柔軟なフィルムｆが振動を伝えやすいので、仕切られた者同士の会話を妨げることもない。
【００３２】
一方、客同士で料理の受け渡し等をする場合には、図４に示すように、ウェイト部材６をフィルムｆから分離させ、芯管固定キャップ２の巻上操作部２ｂを回して、ロールＲを回転させ、フィルムｆを巻き上げる。
【００３３】
これにより、フィルムｆの下端とテーブルＴの天板ｔの天面との間が開放されるので、その隙間を介して、食事中でも料理等の受け渡しが可能となる。
【００３４】
なお、料理等の受け渡し後、フィルムｆを引っ張って速やかに下降させ、フィルムｆの下端部にウェイト部材６を取り付けておく。その旨は、客が一見して理解できるように、テーブル席に明示しておくことが望ましい。
【００３５】
そして、飲食を済ませた客が離席した後、飲食店の従業員は、図５に示すように、スライドカッター５をスライドさせ、ロールＲから引き出されているフィルムｆをスライドカッター５の切刃で切断して廃棄する。また、次の来客に備えて、ロールＲから新たにフィルムｆを引き出し、フィルムｆの下端部にウェイト部材６を取り付けておく。
【００３６】
このように、客が入れ替わるタイミングで、フィルムｆを切断して廃棄すれば衛生状態が保たれるので、アルコール等の消毒液を使用した拭取作業が不要であり、飲食店の従業員の作業負担が軽減される。
【００３７】
なお、この実施形態では、下方のガイドバー４にスライドカッター５を設けているが、スライドカッター５を省略し、フィルムｆを下方のガイドバー４のスライド溝４ａに沿ってカッターナイフで切断するようにしてもよく、鋏で切断するようにしてもよい。
【００３８】
上記のような使用により、ロールＲのフィルムｆがなくなれば、左右一対の軸止部材３と芯管固定キャップ２が固定されたロールＲとを、支持部材１の水平軸１ｂから軸方向に引き抜き、新しいロールＲに芯管固定キャップ２を付け替え、このロールＲと左右一対の軸止部材３とを支持部材１の水平軸１ｂに再度セットすればよい。
【００３９】
ところで、上記実施形態では、図４に示すように、フィルムｆを巻き上げる際、芯管固定キャップ２の巻上操作部２ｂを手で回すものを例示したが、図６に示すように、巻上操作部２ｂに無端状の巻上チェーン８を噛合させて掛け下げておくと、料理の受け渡し等をする際、巻上チェーン８の一方の垂れ下がった部分を引き下げるだけで、芯管固定キャップ２とともにロールＲが回転するので、フィルムｆを容易に巻き上げることができる。
【００４０】
また、図７に示すように、ウェイト部材６のウェイトバー６ａの裏面に帯状のマグネットシート６ｃを貼り着け、下方のガイドバー４のケースの表面に磁性体である細長い鉄製の吸着板４ｂを貼り付けておくと、料理の受け渡し等をする際、ウェイト部材６をフィルムｆに取り付けたまま巻き上げて、マグネットシート６ｃの磁力により吸着板４ｂに吸着させ、フィルムｆを上昇位置に保持しておくことができる。なお、重量は増加するが、下方のガイドバー４のケースを鉄製とすれば、吸着板４ｂは不要となる。
【００４１】
また、図８に示すように、テーブルＴの天板ｔが円形になっている場合には、クランプ１１として、挟持枠体１１ａの上下の板片がＶ字状をなし、それらを繋ぐ垂直部の板片の幅が狭いものを備えておけば、テーブルＴの天板ｔの端縁部に取り付けた状態で、クランプ１１がテーブルＴの天板ｔの周縁からほとんど張り出すことがなく、テーブル席への着席や離席に際し、クランプ１１に衣服が引っ掛かったりするトラブルが防止される。
【符号の説明】
【００４２】
１  支持部材
１ａ  支柱
１ｂ  水平軸
２  芯管固定キャップ
２ａ  差込部
２ｂ  巻上操作部
２ｃ  軸受リング
３  軸止部材
３ａ  円盤部
３ｂ  吊枠部
４  ガイドバー
４ａ  スライド溝
４ｂ  吸着板
５  スライドカッター
６  ウェイト部材
６ａ  ウェイトバー
６ｂ  クリップ
６ｃ  マグネットシート
７  連結材
８  巻上チェーン
１１  クランプ
１１ａ  挟持枠体
１１ｂ  締付ボルト
１１ｃ  押当盤
ｆ  フィルム
ｐ  芯管
Ｒ  ロール
Ｔ  テーブル
ｔ  天板
【図１】
0003230518.tif 000003
【図２】
0003230518.tif 000004
【図３】
0003230518.tif 000005
【図４】
0003230518.tif 000006
【図５】
0003230518.tif 000007
【図６】
0003230518.tif 000008
【図７】
0003230518.tif 000009
【図８】
0003230518.tif 000010